(57)【要約】      （修正有）【課題】ウイルスの感染を低減させるために、設置してある手指消毒剤の方向へ誘引する手指消毒剤用設置台を提供する。【解決手段】手指消毒剤用設置台１００は、視覚で人を誘引するデザインが施された基台１と、基台１の正面側から突出する突出部２と、からなり、突出部２の正面側には凹部が形成されており、該凹部は手指消毒剤を設置する設置部２４となっている。【選択図】図１
0003229919.tif 000002
【実用新案登録請求の範囲】
【請求項１】
視覚で人を誘引するデザインが施された基台と、
該基台の正面側から突出する突出部と、からなり、
前記突出部の正面側には凹部が形成されており、該凹部は手指消毒剤を設置する設置部であることを特徴とする手指消毒剤用設置台。
【請求項２】
前記デザインはアニメのキャラクター又は動物の顔を含み、前記突出部は前記顔の鼻であることを特徴とする請求項１に記載の手指消毒剤用設置台。
【考案の詳細な説明】
【技術分野】
【０００１】
本考案は、手指消毒剤用設置台に関し、詳しくは、視覚で人を誘引するデザインが施された基台からなる手指消毒剤用設置台に関する。
【背景技術】
【０００２】
ウイルスの感染予防のために、病院や飲食店などの入り口にアルコール除菌剤などの手指消毒剤が設置される。この手指消毒剤は通常そのスプレー容器だけスタンドの上に設置されている。
【先行技術文献】
【非特許文献】
【０００３】
【非特許文献１】島村楽器|ミュージックサロンみのり台のコロナウイルス感染症防止対策について、［令和２年９月２１日検索］、インターネット〈https://www.shimamura.co.jp/shop/ms-minoridai/lesson-info/20200808/1248〉
【考案の概要】
【考案が解決しようとする課題】
【０００４】
新型コロナウイルス感染症が流行した当初、病院などに入っていく多くの人が、アルコール除菌剤などの手指消毒剤が置かれたスタンドを探し、そしてそこまで行って、手指消毒剤を使っていた。
【０００５】
しかしながら、感染症に対する慣れもあってか、最近はわざわざスタンドまで行かない人が徐々に増えている。当然ながら、手指消毒剤を使わない人が増加すると、ウイルスの感染が広がるという問題が生じる。
【０００６】
人を手指消毒剤へ誘引する方法として、病院などでは、床に矢印を書いて誘導しているところもあるが、わざわざ近くまで行くことが面倒になってしまっていせいか、あまり効果がない。非特許文献１には手指消毒剤の横にマスクを付けた人形が置かれているが、手指消毒剤が丸見えであり、手指消毒剤を勧める目的の人形であって、人形のみで人を手指消毒剤方向へ誘引するものではない。
そこで、本考案は、ウイルスの感染を低減させるために、設置してある手指消毒剤の方向へ誘引する手指消毒剤用設置台を提供することを目的とする。
【課題を解決するための手段】
【０００７】
上記課題を解決するため、本考案の一つの態様に係る手指消毒剤用設置台は、視覚で人を誘引するデザインが施された基台と、該基台の正面側から突出する突出部と、からなり、前記突出部の正面側には凹部が形成されており、該凹部は手指消毒剤を設置する設置部であることを特徴とする。
【０００８】
デザインが施された基台なので、手指消毒剤の方向に人の目線を向け、興味を持った人が近づきやすくなる。また、基台の側面にいる人をデザインが施された基台（手指消毒剤用設置台）の正面へと誘引しやすくなる。そして、誘引された人は、手指消毒剤が設置されていることから、手指消毒剤を使用する可能性が高くなる。また、誘引された人は、近くで手指消毒剤を使用する人がいれば、使用しないと気まずくなる。したがって、手指消毒剤を使用する人が増加する。
【０００９】
また、本考案の手指消毒剤用設置台においては、前記デザインはアニメのキャラクター又は動物の顔を含み、前記突出部は前記顔の鼻であることが好ましい。
デザインがアニメのキャラクターや動物であるので、特に子どもを誘致することができ、子どもに親や祖父母がついて行くので、多くの人を誘引できる。また、デザインに顔を含むことで、手指消毒剤を設置する場所として、突出する鼻を利用することができる。
【図面の簡単な説明】
【００１０】
【図１】Ａは本考案の実施形態に係る手指消毒剤用設置台の要部の構成を示す正面図であり、ＢはＡの側面図である。
【図２】Ａは図１Ａの背面図であり、Ｂは図１ＡのIIＢ〜IIＢ断面図である。
【考案を実施するための形態】
【００１１】
以下、実施形態及び図面を参照にして本考案を実施するための形態を説明するが、以下に示す実施形態は、本考案をここに記載したものに限定することを意図するものではなく、本考案は考案請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００１２】
［実施形態］
図１、図２を用いて本実施形態の手指消毒剤用設置台１００を説明する。手指消毒剤用設置台１００は、手指消毒剤であるアルコール除菌剤ＡＬが載せられる設置台であり、幼い子ども向けの可愛らしいライオンを模写した造形物でもある。
【００１３】
手指消毒剤用設置台１００は、視覚によって人を誘引するようなデザインが施された基台と、この基台１の正面側から突出する突出部２と、からなる。より具体的には、図１、図２に示すように、手指消毒剤用設置台１００は正面側から見て平坦なライオンの顔の基台１と、その基台１から突出するように設けられたライオンの鼻の突出部２と、からなる。この基台１と突出部２の材質は、ウレタンフォームであり、その表面はこぼれ落ちた消毒剤がフォームに浸み込まないように、無溶剤型ウレタン樹脂でコーティングされ、２液性ポリウレタン樹脂塗料で色付けされている。
なお、基台１や突出部２の材質は、ウレタンフォームに限定されるわけではなく、木製や他のプラスチックでも構わない。
【００１４】
図１、図２に示すように、基台１は厚さ２００ｍｍのウレタンフォームの板をたてがみがあるライオンの顔の外形に切断したものであり、表面側にライオンの顔が描かれており、背面側には、ライオンの尾が描かれている。
【００１５】
突出部２は、アルコール除菌剤ＡＬを設置する設置部２４となる凹部が正面側に形成されている。より具体的には、突出部２には、厚み７０ｍｍの台２１に厚み３０ｍｍの前壁２２と厚み３０ｍｍの左右の側壁２３で３方向が囲まれた凹部である設置部２４が形成されている。
【００１６】
この突出部２は、基台１に接着剤や面ファスナー等で固着される。これにより、設置部２４の背面側は基台１で塞がれて、上方のみが開口した凹部となる。そして、この凹部をアルコール除菌剤ＡＬの設置場所とする。なお、手指消毒剤用設置台１００は、それぞれ別体の基台１と突出部２とが固着されているが、一体で形成されていても構わない。
【００１７】
図１、図２に示すように、設置部２４に置かれたアルコール除菌剤ＡＬは、前方からは前壁２２で下方が隠れて上方のノズル側が見え、両側面方向からは側壁２３で全て隠れて全く見えず、後方からは基台１で全て隠れて全く見えない。
【００１８】
図１、図２に示すように、アルコール除菌剤ＡＬが設置された手指消毒剤用設置台１００は、人が正面側から見るとライオンとアルコール除菌剤ＡＬを認識できるが、側面からはライオンとははっきり認識できないことから、正面側に回って確認したくなる。また、離れた場所から手指消毒剤用設置台１００を見つけると、単なる置物なのか、何かするためのものなのか、よくわからないため、近づいて確認したくなる。
【００１９】
つまり、本実施形態の手指消毒剤用設置台１００は、視覚で人を誘引するデザインが施された造形物の基台であるので、アルコール除菌剤ＡＬが設置された手指消毒剤用設置台１００の方向に人の目線を向け、興味を持った人を近づけることができる。また、側面にいる人は、アルコール除菌剤ＡＬは側壁２３によって見え難いので、アルコール除菌剤ＡＬを使用しようと考えていない人も、造形物を確認しようとして、手指消毒剤用設置台１００の正面へと誘引されることになる。
【００２０】
そして、誘引された人は、アルコール除菌剤ＡＬが設置されていることから、このアルコール除菌剤ＡＬを使用する可能性が高くなる。また、誘引された人は、近くでアルコール除菌剤ＡＬを使用する人がいれば、使用しないと気まずくなる。したがって、アルコール除菌剤ＡＬを使用する人が増加する。また、基台１に施されたデザインがかわいらしいものであれば、特に子どもを誘致することができ、子どもに親や祖父母がついて行くので、より多くの人を誘引できる。
このように、本実施形態の手指消毒剤用設置台１００は、病院や飲食店やテーマパークなど、子供連れの人が多い場所に設置すると効果的である。
【００２１】
なお、本実施形態はライオンであったが、本考案で施されるデザインはライオンに限定するものではない。例えば、パンダ、コアラ、ゾウ、キリン、ウマ、ラクダ、カニ、アニメのキャラクターなどでもよい。特に基台１に施されるデザインは、設置場所と関連性のあるものがより効果的である。例えば、テーマパークに設置する場合には、そのテーマパークのキャラクターのデザインが好ましい。
【００２２】
また、本実施形態では、アルコール除菌剤ＡＬが側壁２３で隠れて全く見えないが、必ずしも完全に隠す必要はなくノズルなど、一部が見えても人を誘引する効果がある。また、前壁２２は、なくても構わないが、アルコール除菌剤ＡＬが倒れてしまわないよう、実施形態の前壁２２よりも低いものでも構わない。なお、手指消毒剤用設置台１００に設置される手指消毒剤は、アルコール除菌剤ＡＬのようにアルコールが主成分のものである必要はなく、また、スプレー式のようなものでも構わない。
【符号の説明】
【００２３】
１００：手指消毒剤用設置台
１：基台
２：突出部
２１：台
２２：前壁
２３：側壁
２４：設置部
ＡＬ：アルコール除菌剤
【図１】
0003229919.tif 000003
【図２】
0003229919.tif 000004